(57)【要約】【課題】制御チャネルの混雑の緩和、有効利用に資することのできる移動端末の位置登録制御方法及び移動端末の位置登録制御システムを提供する。【解決手段】移動端末（ＭＳ０）の無線ゾーン（Ｚ１）への移動に応答して、当該無線ゾーンに位置登録してある既存の移動端末（ＭＳ１）に周辺無線ゾーンにおける位置登録数の取得を指示し、周辺無線ゾーン（Ｚ２）における各位置登録数より当該無線ゾーンにおける位置登録数が多い場合には、既存の移動端末を周辺無線ゾーン（Ｚ２）へ位置登録するように制御する。【選択図】      図２
2006295423.tif 000002
【特許請求の範囲】
【請求項１】
移動端末の無線ゾーンへの移動に応答して、当該無線ゾーンに位置登録してある既存の移動端末に周辺無線ゾーンにおける位置登録数の取得を指示し、周辺無線ゾーンにおける各位置登録数より当該無線ゾーンにおける位置登録数が多い場合には、既存の移動端末を周辺無線ゾーンへ位置登録するように制御することを特徴とする移動端末の位置登録制御方法。
【請求項２】
前記周辺無線ゾーンへの位置登録は、最も位置登録数の少ない周辺無線ゾーンに対して行うことを特徴とする請求項１記載の移動端末の位置登録制御方法。
【請求項３】
移動端末の無線ゾーンへの移動に応答して、当該無線ゾーンで通話中の既存の移動端末に周辺無線ゾーンにおける通話チャンネル利用数の取得を指示し、周辺無線ゾーンにおける通話チャネル利用数より当該無線ゾーンにおける通話チャネル利用数が多い場合には、既存の移動端末を周辺無線ゾーンの基地局の通話チャネルに切り替えるように制御することを特徴とする移動端末の位置登録制御方法。
【請求項４】
前記周辺無線ゾーンの基地局への切り替えは、最も通話チャンネル利用数の少ない周辺無線ゾーンに対して行うことを特徴とする請求項３記載の移動端末の位置登録制御方法。
【請求項５】
移動端末の無線ゾーンへの移動に応答して、当該無線ゾーンに位置登録してある既存の移動端末に周辺無線ゾーンのサーチを指示し、前記既存の移動端末が通話中の場合には前記周辺無線ゾーンにおける通話チャネル利用数の取得を指示し、周辺無線ゾーンにおける通話チャネル利用数より当該無線ゾーンにおける通話チャネル利用数が多い場合には、既存の通話中の移動端末は周辺無線ゾーンに通話チャネル切り替えるように制御し、前記既存の移動端末が待受け状態の場合には前記周辺無線ゾーンにおける位置登録数の取得を指示し、周辺無線ゾーンにおける位置登録数より当該無線ゾーンにおける位置登録数が多い場合には、既存の移動端末は周辺無線ゾーンへの位置登録要求を行うように制御することを特徴とする移動端末の位置登録制御方法。
【請求項６】
移動端末の位置登録制御システムであって、移動端末の無線ゾーンへの移動に応答して、当該無線ゾーンに位置登録してある既存の移動端末に接続可能な周辺無線ゾーンにおける位置登録数の取得を指示する手段と、周辺無線ゾーンにおける位置登録数より当該無線ゾーンにおける位置登録数が多い場合には、既存の移動端末は周辺無線ゾーンへの位置登録要求を行う手段とを有する移動端末の位置登録制御システム。
【請求項７】
移動端末の位置登録制御システムであって、移動端末の無線ゾーンへの移動に応答して、当該無線ゾーンに位置登録してある既存の移動端末に接続可能な周辺無線ゾーンのサーチを指示する手段と、既存の移動端末から送られる周辺無線ソーンの接続可能性情報を基に位置登録メモリ手段にこれら周辺無線ゾーンの位置登録数を要求する手段と、周辺無線ゾーンにおける位置登録数より当該無線ゾーンにおける位置登録数が多い場合には既存の移動端末に周辺無線ゾーンへの位置登録の変更要求をする手段と、前記変更要求に応答して位置登録要求信号を送出する手段と、前記位置登録要求信号に応答して位置登録を行う手段とを有する移動端末の位置登録制御システム。
【請求項８】
移動端末の位置登録制御システムであって、移動端末の無線ゾーンへの移動に応答して、当該無線ゾーンに位置登録してある既存の移動端末に周辺無線ゾーンのサーチを指示する手段と、既存の移動端末から送られる周辺無線ソーンの接続可能性情報を基に位置登録メモリ手段にこれら周辺無線ゾーンの位置登録数を要求する手段と、周辺無線ゾーンにおける位置登録数より当該無線ゾーンにおける位置登録数が多い場合には待受け状態の既存の移動端末に周辺無線ゾーンの基地局への位置登録の変更要求をする手段と、前記変更要求に応答して位置登録要求信号を送出する手段と、既存の移動端末から送られる周辺無線ゾーンの接続可能性情報を基にこれら周辺無線ゾーンの通話チャンネル利用数を要求する手段と、周辺無線ゾーンにおける通話チャンネル利用数より当該無線ゾーンにおける通話チャンネル利用数が多い場合には通話中の既存移動端末に周辺無線ゾーンの通話チャネルへ切替指示を送出する手段と、前記切り替え指示に応答して通話チャンネルを切り替える手段とを含む移動端末の位置登録制御システム。
【発明の詳細な説明】
【技術分野】
【０００１】
本発明は、移動端末の位置登録制御に関し、特に位置登録したい移動端末の位置登録が容易に行えるようにして通話回線の混雑の緩和、基地局間の位置登録端末数の平均化を図った移動端末の位置登録制御方法および移動端末の位置登録制御システムに関する。
【背景技術】
【０００２】
移動端末は、周辺基地局の受信電界強度を周期的にモニターし、最も受信電界強度の大きな基地局無線ゾーンを識別ゾーンとして、移動通信網の加入者メモリ局に登録している。また、通話中には、最も受信電界強度の大きな基地局の通話チャンネルへの切り替えが行われている。
【０００３】
しかし、この従来の技術は、移動端末の周辺に通信可能な複数の基地局があるにもかかわらず、ある特定の基地局の位置登録端末数や通話端末数が増え、通話回線に接続できない状態になる可能性がある。
【０００４】
このような状況を回避するため、特開２０００−２９５６５０号公報（特許文献１）では、端末の初期登録時やハンドオーバ時において、周辺基地局の端末登録数を取得して、その情報に基づいて、比較的端末数の少ない基地局を選択してチャネル切り替えを行う方法を開示している。しかし、この方法は、特定の基地局無線ゾーンに空きチャンネルがない場合には、新たにその無線ゾーンに移動してくる移動端末は、チャンネルを捕捉できないという問題がある。すなわち、移動端末が特定の基地局無線ゾーンに移動してきたとき、基地局には位置登録できるチャネル、通話できるチャネルに上限があるため、位置登録するためのチャネルに空きがあるか、または、通話中の移動であれば、ハンドオーバできるチャンネルに空きがあるかを調べ、空きチャネルがない場合には、その移動端末は特定無線ゾーンで使用できない。
【０００５】
【特許文献１】特開２０００−２９５６５０号公報
【発明の開示】
【発明が解決しようとする課題】
【０００６】
本発明は、制御チャネルの混雑の緩和、有効利用に資することのできる移動端末の位置登録制御方法及び移動端末の位置登録制御システムを提供することにある。
【課題を解決するための手段】
【０００７】
本発明によれば、移動端末の無線ゾーンへの移動に応答して、当該無線ゾーンに位置登録してある既存の移動端末に周辺無線ゾーンにおける位置登録数の取得を指示し、周辺無線ゾーンにおける各位置登録数より当該無線ゾーンにおける位置登録数が多い場合には、既存の移動端末を周辺無線ゾーンへ位置登録するように制御することを特徴とする移動端末の位置登録制御方法が得られる。
【０００８】
望ましくは、前記周辺無線ゾーンへの位置登録は、最も位置登録数の少ない周辺無線ゾーンに対して行う。
【０００９】
本発明によれば、また、移動端末の無線ゾーンへの移動に応答して、当該無線ゾーンで通話中の既存の移動端末に周辺無線ゾーンにおける通話チャンネル利用数の取得を指示し、周辺無線ゾーンにおける通話チャネル利用数より当該無線ゾーンにおける通話チャネル利用数が多い場合には、既存の移動端末を周辺無線ゾーンの基地局の通話チャネルに切り替えるように制御することを特徴とする移動端末の位置登録制御方法が得られる。
【００１０】
この場合、望ましくは、前記周辺無線ゾーンの基地局への切り替えは、最も通話チャンネル利用数の少ない周辺無線ゾーンに対して行う。
【００１１】
さらに、本発明によれば、移動端末の無線ゾーンへの移動に応答して、当該無線ゾーンに位置登録してある既存の移動端末に周辺無線ゾーンのサーチを指示し、前記既存の移動端末が通話中の場合には前記周辺無線ゾーンにおける通話チャネル利用数の取得を指示し、周辺無線ゾーンにおける通話チャネル利用数より当該無線ゾーンにおける通話チャネル利用数が多い場合には、既存の通話中の移動端末は周辺無線ゾーンに通話チャネル切り替えるように制御し、前記既存の移動端末が待受け状態の場合には前記周辺無線ゾーンにおける位置登録数の取得を指示し、周辺無線ゾーンにおける位置登録数より当該無線ゾーンにおける位置登録数が多い場合には、既存の移動端末は周辺無線ゾーンへの位置登録要求を行うように制御することを特徴とする移動端末の位置登録制御方法が得られる。
【００１２】
また、本発明によれば、移動端末の位置登録制御システムであって、移動端末の無線ゾーンへの移動に応答して、当該無線ゾーンに位置登録してある既存の移動端末に接続可能な周辺無線ゾーンにおける位置登録数の取得を指示する手段と、周辺無線ゾーンにおける位置登録数より当該無線ゾーンにおける位置登録数が多い場合には、既存の移動端末は周辺無線ゾーンへの位置登録要求を行う手段とを有する移動端末の位置登録制御システムが得られる。
【００１３】
本発明によれば、また、移動端末の位置登録制御システムであって、移動端末の無線ゾーンへの移動に応答して、当該無線ゾーンに位置登録してある既存の移動端末に接続可能な周辺無線ゾーンのサーチを指示する手段と、既存の移動端末から送られる周辺無線ソーンの接続可能性情報を基に位置登録メモリ手段にこれら周辺無線ゾーンの位置登録数を要求する手段と、周辺無線ゾーンにおける位置登録数より当該無線ゾーンにおける位置登録数が多い場合には既存の移動端末に周辺無線ゾーンへの位置登録の変更要求をする手段と、前記変更要求に応答して位置登録要求信号を送出する手段と、前記位置登録要求信号に応答して位置登録を行う手段とを有する移動端末の位置登録制御システムが得られる。
【００１４】
また、本発明によれば、移動端末の位置登録制御システムであって、移動端末の無線ゾーンへの移動に応答して、当該無線ゾーンに位置登録してある既存の移動端末に周辺無線ゾーンのサーチを指示する手段と、既存の移動端末から送られる周辺無線ソーンの接続可能性情報を基に位置登録メモリ手段にこれら周辺無線ゾーンの位置登録数を要求する手段と、周辺無線ゾーンにおける位置登録数より当該無線ゾーンにおける位置登録数が多い場合には待受け状態の既存の移動端末に周辺無線ゾーンの基地局への位置登録の変更要求をする手段と、前記変更要求に応答して位置登録要求信号を送出する手段と、既存の移動端末から送られる周辺無線ゾーンの接続可能性情報を基にこれら周辺無線ゾーンの通話チャンネル利用数を要求する手段と、周辺無線ゾーンにおける通話チャンネル利用数より当該無線ゾーンにおける通話チャンネル利用数が多い場合には通話中の既存移動端末に周辺無線ゾーンの通話チャネルへ切替指示を送出する手段と、前記切り替え指示に応答して通話チャンネルを切り替える手段とを含む移動端末の位置登録制御システムが得られる。
【発明の効果】
【００１５】
本発明では、移動端末が新たに無線ゾーンに移動してきたときに、そのゾーン内の既存の移動端末に周辺無線ゾーンにおける移動端末の位置登録数と当該無線ゾーンにおける位置登録数とを比較し、当該無線ゾーンにおける位置登録数が周辺無線ゾーンの位置登録数より多い場合には、その周辺無線ゾーンへ位置登録を変更するように制御することによって当該無線ゾーンにおける位置登録できるチャネルの混雑の緩和を図ることができる。
【００１６】
また、当該無線ゾーンにおける通話チャネル利用数が、周辺無線ゾーンにおける通話チャネル利用数より多い場合には、利用数の少ない無線ゾーンへ通話チャネルを切替える制御を行うことによって、通話チャンネルの混雑の緩和の緩和を図ることができる。
【発明を実施するための最良の形態】
【００１７】
次に、図面を参照して本発明の実施の形態について説明する。
【００１８】
図１は本発明の実施形態にかかる移動通信システムの概略構成を示す図で、基地局ＢＳ０、ＢＳ１、ＢＳ２、制御局４０、交換局（交換機）５０、加入者メモリ装置６０などからなる移動通信網と、移動端末（移動局）ＭＳ０、ＭＳ１、ＭＳ２、ＭＳｐ、ＭＳｎを有する。
【００１９】
図２を参照すると、基地局ＢＳ０、ＢＳ１、ＢＳ２は、それぞれがカバーする無線ゾーンＺ０，Ｚ１，Ｚ２を有する。そしてゾーンＺ０には移動端末ＭＳ０，ＭＳｎが、ゾーンＺ１には移動端末ＭＳ１，ＭＳｐが、ゾーンＺ２には移動端末ＭＳ２がそれぞれ在圏して位置登録されている。
【００２０】
図１及び図２とシステムの動作の概要フローチャートを示す図３を合わせて参照すると、基地局ＢＳ０のゾーンＺ０に在圏している移動端末ＭＳ０が、基地局ＢＳ１のゾーンＺ１に移動すると、移動通信網はそれを検出し（Ｓ３００）、ゾーンＺ１に在圏する移動端末ＭＳ１，ＭＳｐに接続可能な周辺基地局についてのサーチを指示する（Ｓ３１０）。例えば、同ゾーン内の移動端末ＭＳ１は、周辺基地局のチャネルで電界強度を測定した結果を移動通信網に報告する。移動端末は待受け状態にあるとすると、移動通信網では、この報告を受けてこれら周辺基地局を位置登録ゾーンとする移動端末数を調査する（Ｓ３２０）。
【００２１】
即ち、接続可能な基地局毎に、位置登録された移動端末数を取得し、当該基地局ＢＳ１に位置登録してある移動端末数と比較する（Ｓ３３０）。当該基地局ＢＳ１に位置登録してある移動端末が、接続可能な周辺基地局のいずれの位置登録数よりも多いときは、当該基地局ＢＳ１の移動端末ＭＳ１に対し位置登録変更の指示を出す。そして、その指示には、周辺基地局の中で、最も移動端末の位置登録数の少ない基地局の識別コードを合わせて通知する。
【００２２】
指示を受けた当該基地局ＢＳ１のゾーン内の移動端末ＭＳ１は、移動端末識別コードと基地局ゾーン識別コードとをもって、当該基地局経由で移動通信網に対して、位置登録要求を発する。位置登録要求信号に応答して網の加入者メモリに、新しい位置登録を行って、位置登録受付信号を移動端末ＭＳ１に送信する。位置登録受付信号に応答して、移動端末ＭＳ１は、ゾーン識別コード記憶用メモリの記憶内容を更新し、移動端末は、隣接基地局ＢＳ２ゾーンでの制御信号チャネルで待ち受け動作に入る（Ｓ３４０）。
【００２３】
一方、当該基地局ＢＳ１に位置登録してある移動端末が、移動端末ＭＳ１が接続可能な周辺基地局のいずれの位置登録数よりも少ないときは、当該基地局ＢＳ１の移動端末ＭＳ１に対し位置登録変更をしない旨の通知を行う。位置登録変更否の通知を受けた移動端末ＭＳ１は、位置登録変更の処理は行わない。
【００２４】
図３の説明では、移動端末ＭＳ１は待受け状態にあるとして説明したが、図４は移動端末ＭＳ１が通話中である場合のシステムの動作を示す概要フローチャートである。
【００２５】
再び図１及び図２を合わせ参照しながら、図４について説明する。基地局ＢＳ０のゾーンＺ０に在圏している移動端末ＭＳ０が、基地局ＢＳ１のゾーンＺ１に移動すると、移動通信網はそれを検出し（Ｓ４００）、ゾーンＺ１に在圏する移動端末ＭＳ１，ＭＳｐに接続可能な周辺基地局についてのサーチを指示する（Ｓ４１０）。例えば、同ゾーン内の移動端末ＭＳ１は、周辺基地局のチャネルで電界強度を測定した結果を移動通信網に報告する。通話中の移動端末ＭＳ１から報告を受け、移動通信網では、周辺基地局ゾーンにおける通話チャネルの利用数を調査する（Ｓ４２０）。
【００２６】
即ち、接続可能な基地局毎に、通話チャネルの利用数を取得し、当該基地局ＢＳ１における通話チャネル利用数と比較する（Ｓ４３０）。当該基地局ＢＳ１における通話チャネル利用数が、接続可能な周辺基地局のいずれの通話チャネル利用数よりも多いときは、当該基地局ＢＳ１の移動端末ＭＳ１に対し通話チャネルを周辺基地局の通話チャネルに切替えるよう指示を出す。そして、その指示には、周辺基地局の中で、最も通話チャネル利用数の少ない基地局を通知する。
【００２７】
指示を受けた当該基地局ＢＳ１のゾーン内の移動端末ＭＳ１は、指示を受けて通話チャネルを指定された基地局のそれに切替て通話を行う（Ｓ４４０）。
【００２８】
一方、当該基地局ＢＳ１における通話チャネルの利用数が、移動端末ＭＳ１が接続可能な周辺基地局のいずれの通話チャネル利用数よりも少ないときは、通話チャネルの切り替えはしない。
【００２９】
図５は、本発明の通信システム使用される移動端末ＭＳの機能ブロック図である。同図において、受信信号の処理系統として、受信部１１０、復調部１１１,ＴＤＭＡデコード部１１２、音声処理部１１３を含む。送信信号処理関係要素として、ＴＤＭＡエンコード部１２３、変調部１２１、送信部１２０を含む。シンセサイザ１６０は、制御部１３０の制御の基に、送信信号を中間周波数からアップコンバート、または、受信信号の中間周波数へのダウンコンバートを行う。即ち、シンセサイザの制御によって基地局を切り替えて制御チャネル、通話チャネルを捕捉する。記憶部１５０は、基地局ゾーンの識別コードを記憶しており、ゾーン移動によって、移動ゾーンの識別コードに書き換えられる。また、記憶部には、移動端末ＭＳの識別コードも記憶されている。制御信号抽出挿入部１４０は、受信信号のなかから制御信号を抽出すると共に、制御信号を送信信号に挿入する。制御部１３０は、位置登録処理機能、位置登録変更要否処理機能、チャネル切替処理機能を有する。また、移動端末は、受信レベル測定部を有し、基地局から到来する電波のレベルを測定する。
【００３０】
図６は、本発明の通信システム使用される基地局ＢＳの機能ブロック図である。同図において、受信信号の処理系統として、受信部２１０、復調部２１１,ＴＤＭＡデコード部２１２を含む。また、ＴＤＭＡデコード部出力はネットワークインタフェース部２１３に供給される。送信信号処理関係要素として、ＴＤＭＡエンコード部２２２、変調部２２１、送信部２２０を含む。シンセサイザ２６０は、制御部１３０の制御の基に、送信信号を中間周波数からアップコンバート、または、受信信号の中間周波数へのダウンコンバートを行う。記憶部２５０は、基地局ゾーンの識別コードを記憶している。制御信号抽出挿入部２４０は、受信信号のなかから制御信号を抽出すると共に、制御信号を送信信号に挿入する。制御部２３０は、基地局のこれら構成要素を制御する。ネットワークインタフェース部２１３は、有線網側からの制御信号及び通話信号を受けるとともに、基地局が移動端末から受信した制御信号、通話信号を網に転送する。受信レベル測定部は、制御部の制御の下に、到来電波の強度を測定する。
【００３１】
図７は、本発明の通信システム使用される制御局の機能ブロック図である。同図において、制御局４０は、基地局サーチ指示部、位置登録処理部４５、基地局別位置登録数要求部４３、位置登録変更要否判定部４２、位置登録変更要否判定部４１を含む。また、制御局は、基地局別通話チャネル利用数要求部４７、通話チャネル変更要否判定部４６、通話チャネル変更要否信号発生部４５を含む。これらの機能は、後に示すシークエンスチャートの説明から明らかになるのでここでの説明は省略する。
【００３２】
図８のシークエンスチャートを参照して、本発明の実施形態の動作についてより具体的に説明する。移動端末ＭＳ０がゾーンを横切るとゾーン識別コード記憶用メモリに記憶されている識別コードと制御信号チャネルで報知されるゾーン識別コードとを比較してその変化を検出する（ｓ１）。移動先着信制御チャネル内の空き発信制御回線情報に基づいて、発信制御チャネルを捕捉し、移動端末識別番号を含む位置登録信号を基地局に送出する。基地局、無線制御局で信号誤りを検出し、良好時には移動交換局に位置登録信号を転送する。移動交換局は、移動端末識別番号によりアクセス加入者メモリに位置登録信号を転送し、位置情報の書換を行う（ｓ２）。
【００３３】
交換局は、確認信号（位置登録受付信号）を制御局、基地局経由で移動端末ＭＳ０に送る（ｓ３）。これを受けて移動端末ＭＳ０は、ゾーン識別コードを新しい識別コードに書き換える（ｓ４）。位置登録受付信号の送出後、制御局３０は、移動端末ＭＳ０が移動した、基地局ゾーンに在圏する移動端末に対し基地局サーチを指示する（ｓ５）。移動端末ＭＳ１が、基地局ＢＳ１のゾーンにいるとすると、サーチの指示を受けて、接続可能な周辺基地局情報を基地局経由で制御局３０へ送出する（ｓ６）。制御局はこれを受けて、これら基地局別の位置登録数を加入者メモリ装置に要求し（ｓ７）、加入者メモリを基にそのデータを作成して、制御局に応答する（ｓ８）。制御局は、当該基地局を含む接続可能な基地局のそれぞれのゾーンにおける位置登録数から、当該基地局ゾーンへの位置登録数が他の基地局ゾーンへの位置登録数より多いか否かを判定し（ｓ９）、多い場合には、最も位置登録数の少ない基地局ゾーンを選定する（ｓ１０）。そして位置登録変更要の情報を作成する（ｓ１１）。その情報を位置登録変更要否信号に載せて移動端末ＭＳ１に送る（ｓ１２）。当該基地局ゾーンへの位置登録数が他の基地局ＢＳ１のゾーンへの位置登録数より少ない場合には、位置登録変更否の情報を乗せて送る。
【００３４】
位置登録変更要否信号を受けた移動端末ＭＳ１は、信号から、位置登録の変更要否の判定をし（ｓ１３）、要の場合には、移動端末ＭＳ１の識別コード及び位置登録すべき基地局ＢＳ２のゾーン識別コードを含む位置登録要求信号を基地局、制御局経由で交換局の加入者メモリ装置に送る（ｓ１４）。加入者メモリ装置では、加入者メモリの移動端末ＭＳ１についてそのゾーンをＢＳ１からＢＳ２書き換える登録を行う（ｓ１５）。位置登録を変更するとその結果として、制御局から基地局ＢＳ１経由で、位置登録受付信号が移動端末ＭＳ１に送られる（ｓ１６）。移動端末ＭＳ１は、ゾーン識別コード記憶用メモリのゾーン識別コードを基地局ＢＳ２のゾーンに書換える（ｓ１７）。以降、移動端末ＭＳ１は、基地局ＢＳ２の制御チャンネルを介して制御信号の送受を行う。
【００３５】
位置登録変更要否信号が、位置登録の変更否の場合には、移動端末ＭＳ１は、ゾーン識別コード記憶用メモリ内容を維持する。すなわち、これまで保持していた基地局ＢＳ１のゾーンの識別コードを維持する。したがって、その場合には、制御チャネルはこれまでと同じく、基地局ＢＳ１との制御チャネルを使用する。なお、図には、この場合の移動端末ＭＳ１と基地局ＢＳ１とのシークエンスの表示を省略してある。
【００３６】
図９は、本発明の第２の実施形態に関わるシークエンス図である。第２の実施形態では、通話中の移動端末に対しては、位置登録数ではなく、基地局毎の通話チャネル利用数に応じて基地局通話チャネルを切替える点が、第１の実施形態と異なる。
【００３７】
同図と、図１及び図２を合わせて参照し、移動端末ＭＳ０は待ち受け中、移動端末ＭＳ１は通話中とする。
【００３８】
移動端末ＭＳ０がゾーンを横切るとゾーン識別コード記憶用メモリに記憶されている識別コードと制御信号チャネルで報知されるゾーン識別コードとを比較してその変化を検出する（ｓ２１）。移動先着信制御チャネル内の空き発信制御回線情報に基づいて、発信制御チャネルを捕捉し、移動端末識別番号を含む位置登録信号を基地局に送出する。基地局、無線制御局で信号誤りを検出し、良好時には移動交換局に位置登録信号を転送する。移動交換局は、移動端末識別番号によりアクセス加入者メモリに位置登録信号を転送し、位置情報の書き換えを行う（ｓ３２）。
【００３９】
交換局は、確認信号（位置登録受付信号）を制御局、基地局経由で移動端末ＭＳ０に送る（ｓ３３）。これを受けて移動端末ＭＳ０は、ゾーン識別コードを新しい識別コードに書き換える（ｓ３４）。位置登録受付信号の送出後、制御局３０は、移動端末ＭＳ０が移動した、基地局ゾーンに在圏する移動端末に対し基地局サーチを指示する（ｓ３５）。基地局ＢＳ１のゾーンにいる移動端末ＭＳ１は、サーチの指示を受けて、接続可能な周辺基地局情報を基地局経由で制御局３０送出する（ｓ３６）。制御局はこれを受けて、これら基地局別の通話チャネル利用数のテーブルを作成する（ｓ３７）。制御局は、当該基地局を含む接続可能な基地局のそれぞれの通話チャネル利用数のテーブルから、当該基地局の通話チャネル利用数が他の基地局の通話チャネル利用数より多いか否かを判定し（ｓ３８）、多い場合には、最も通話チャネル利用数の少ない基地局を選定する（ｓ３９）。そして基地局変更情報を作成する（ｓ４０）。その情報を基地局変更要否信号に載せて移動端末ＭＳ１に送る（ｓｓ４１）。当該基地局ゾーンでの通話チャネル利用数が他の基地局ＢＳ１ゾーンの通話チャネル利用数より少ない場合には、位置登録変更否の情報を乗せて送る。
【００４０】
位置登録変更要否信号を受けた移動端末ＭＳ１は、信号から、基地局の変更要否の判定をし（ｓ４２）、要の場合には、基地局切替要求信号を基地局、制御局経由で交換局に送る（ｓ４３）。交換局での基地局通話チャネルを切換え、制御局、基地局経由で、基地局切替受付信号を移動端末ＭＳ１に送る（ｓ４４）。この信号を受けて、移動端末ＭＳ１は、通話チャネルを基地局ＢＳ２の通話チャネルに切り替える（ｓ４５）。このハンドオーバにより、以降、移動端末ＭＳ１は、基地局ＢＳ２の通話チャネルを介して通話を行う（ｓ４６）。の送受を行う。
【００４１】
基地局変更要否信号が、変更否の場合には、移動端末ＭＳ１は、通話チャネルはこれまでと同じく、基地局ＢＳ１との通話チャネルを使用する。なお、図には、この場合の移動端末ＭＳ１と基地局ＢＳ１とのシークエンスの表示を省略してある。
【００４２】
上記実施の形態では、制御局に各種の指示機能を分担させたが、基地局にその機能の一部を分担させてもよい。
【図面の簡単な説明】
【００４３】
【図１】本発明に関する移動通信システムの全体を示す概略図である。
【図２】本発明に関する基地局と移動端末の配置を示す図である。
【図３】本発明の実施形態における動作の概略を示すフローチャートである。
【図４】本発明の実施形態における別の動作の概略を示すフローチャートである。
【図５】本発明の実施形態で使用する移動端末のブロック図である。
【図６】本発明の実施形態で使用する基地局のブロック図である。
【図７】本発明の実施形態で使用する制御局の機能ブロック図である。
【図８】本発明の実施形態の動作シークエンスを示す図である。
【図９】本発明の実施形態の別の動作シークエンスを示す図である。
【符号の説明】
【００４４】
ＭＳ、ＭＳ０、ＭＳ１、ＭＳ２、ＭＳｎ、ＭＳｐ  移動端末
ＢＳ、ＢＳ０、ＢＳ１、ＢＳ２  基地局
Ｚ０、Ｚ１、Ｚ２  ゾーン
４０  制御局
５０  交換局
６０  加入者メモリ装置
１１０  受信部
１１１  復調部
１１２  ＴＤＭＡデコード部
１１４  受信レベル測定部
１２０  送信部
１２１  変調部
１２３  ＴＤＭＡエンコード部
１３０  制御部
１５０  記憶部
１６０  シンセサイザ
２１０  受信部
２１１  復調部
２１２  ＴＤＭＡデコード部
２１３  ネットワークインタフェース部
２１４  受信レベル測定部
２２０  送信部
２２１  変調部
２２２  ＴＤＭＡエンコード部
２３０  制御部
２５０  記憶部
【図１】
2006295423.tif 000003
【図２】
2006295423.tif 000004
【図３】
2006295423.tif 000005
【図４】
2006295423.tif 000006
【図５】
2006295423.tif 000007
【図６】
2006295423.tif 000008
【図７】
2006295423.tif 000009
【図８】
2006295423.tif 000010
【図９】
2006295423.tif 000011